(57)【要約】【課題】給気ダクトに設けた熱交換器に浴槽水を循環させるか暖房回路内の温水を循環させるかを切り替え可能な暖房システムにおいて、切り替えの際に循環経路内の浴槽水が暖房回路に混入することや暖房水が浴槽に流れ込むことを防ぐ。【解決手段】浴槽５から熱交往き管８５、熱交換器６０、熱交戻り管８６を経て浴槽に戻る循環経路と、循環経路に浴槽水を循環させる循環ポンプ４５と、暖房回路に温水を循環させる暖房循環ポンプ２６と熱源部１２を有する熱源機１０と、熱交換器６０を循環経路から切り離して暖房回路に接続した第２接続状態と、熱交換器が循環経路に介挿された第１接続状態とに経路を切り替える切替部４０と、循環ポンプ４５の下流であって第２接続状態のときに熱交換器６０が切り離される箇所より浴槽側の熱交戻り管に設けた排水弁４４を有し、経路を切り替えた際に循環経路内の残る浴槽水や温水を排水弁４４から排水可能にする。【選択図】図１４
2019190716.tif 000002
【特許請求の範囲】
【請求項１】
外気を屋内に取り込む給気口に設置される熱交換器と、
浴槽から前記熱交換器の入側に至る熱交往き管と、
前記熱交換器の出側から前記浴槽に至る熱交戻り管と、
前記浴槽から前記熱交往き管、前記熱交換器、前記熱交戻り管を経て前記浴槽に戻る循環経路に浴槽内の浴槽水を循環させる循環ポンプと、
暖房回路に熱媒体流体を循環させる暖房循環ポンプと、前記暖房回路内の熱媒体流体を加熱する熱源部を有する熱源機と、
前記熱交換器を前記循環経路から切り離して前記暖房回路に接続した第２接続状態と、前記熱交換器が前記循環経路に介挿された第１接続状態とに経路を切り替える切替部と、
前記循環ポンプの下流であって前記第２接続状態のときに前記熱交換器が切り離される箇所より浴槽側の前記熱交戻り管に設けられ、前記熱交換器側の熱交戻り管を浴槽側の熱交戻り管に繋げた連通側と、前記熱交換器側の熱交戻り管を所定の排水先に繋げた排水側に切り替える排水弁と、
を有する
ことを特徴とする暖房システム。
【請求項２】
前記切替部を前記第２接続状態から前記第１接続状態に切り替えた後に前記循環ポンプを作動させる最初の所定時間は前記排水弁を前記排水側に設定する第１排水制御を行う
ことを特徴とする請求項１に記載の暖房システム。
【請求項３】
前記切替部は、前記熱交換器の入側を前記循環経路から切り離して前記暖房回路に接続し、前記熱交換器の出側を前記循環経路の前記熱交戻り管に接続した第３接続状態に切り替え可能であり、
前記切替部を前記第３接続状態に設定し、かつ前記排水弁を排水側に設定して、前記暖房回路から熱媒体流体を前記熱交換器に向けて送出する第２排水制御を行う
ことを特徴とする請求項１または２に記載の暖房システム。
【請求項４】
前記熱源機は、追い焚き経路に浴槽水を循環させて昇温する風呂の追い焚き機能、および前記追い焚き経路を通じて浴槽に注水する注水機能を備え、
前記切替部は、前記浴槽を前記循環経路から切り離して前記追い焚き経路に接続した第４接続状態と、前記追い焚き経路を前記循環経路に接続した第５接続状態とにさらに切り替え可能であり、
前記切替部を前記第５接続状態に設定し、前記排水弁を前記連通側に設定して、前記浴槽に、前記追い焚き経路および前記循環経路を通じて注水する第３排水制御を行う
ことを特徴とする請求項１乃至３のいずれか１つに記載の暖房システム。
【請求項５】
前記切替部は、
前記熱交戻り管の途中に介挿され、前記熱交換器側の熱交戻り管を前記浴槽側の熱交戻り管に接続するか、前記熱交換器側の熱交戻り管を前記暖房回路の戻り管に接続するかを切り替える第１切替弁と、
前記熱交往き管の途中に介挿され、前記熱交換器側の熱交往き管を前記浴槽側の熱交往き管に接続するか、前記熱交換器側の熱交往き管を前記暖房回路の往き管に接続するかを切り替える第２切替弁と、
前記第２切替弁より前記浴槽側の前記熱交往き管の途中に介挿され、前記浴槽側の前記熱交往き管を前記第２切替弁側の前記熱交往き管に接続するか、前記浴槽側の前記熱交往き管を風呂の追い焚き経路の戻り管に接続するかを切り替える第３切替弁と、
を有し、
前記循環ポンプは、前記第２切替弁と前記第３切替弁の間の前記熱交往き管に介挿されて、前記第３切替弁側から前記第２切替弁側に向けて送水し、
前記排水弁は前記第１切替弁より浴槽側の前記熱交戻り管に設けてあり、
前記追い焚き経路の往き管は前記第１切替弁と前記排水弁との間の熱交戻り管に接続され、
前記切替部はさらに、
前記追い焚き経路の戻り管と前記循環ポンプの出側を配管で接続すると共に該配管の途中に前記循環ポンプの出側から前記追い焚き経路の戻り管側への流れを阻止する第１逆止弁と、
前記追い焚き経路の往き管の途中に設けられた第２逆止弁と、
を有する
ことを特徴とする請求項１乃至４のいずれか１つに記載の暖房システム。
【請求項６】
前記熱交換器は、中空平板状の複数枚の扁平管が間隔を持って積層されると共に隣り合う扁平管はその一端部側と他端部側のそれぞれで接続部よって積層方向に連結され、流入口に流入した流体が各扁平管および接続部を通って流出口から流出するように構成されたものである
ことを特徴とする請求項１乃至５のいずれか１つに記載の暖房システム。
【請求項７】
請求項１乃至６のいずれか１つに記載の暖房システムにおける前記切替部と前記排水弁と前記循環ポンプを備えた経路切替ユニット。
【発明の詳細な説明】
【技術分野】
【０００１】
本発明は、外気を屋内に取り込む給気口に設置された熱交換器に温水を循環させる暖房システムおよび経路切替ユニットに関する。
【背景技術】
【０００２】
近年の住宅には２４時間換気システムが設置されている。その代表的な構成は、図１７に示すように、たとえば、風呂場の天井裏等に換気ファン１０１を設け、この換気ファン１０１の吸込口１０２をトイレや洗面所、浴室などの天井（家の中心付近）に配置し、屋外に面する各居室の壁に給気口（給気ダクト）１０３を設け、換気ファン１０１の排気はダクトを通じて玄関先等に設けた排気口１０４から屋外に排出する、といった構成になっている。これは、排気はファンで行い、給気はファンを使用せずに自然に取込む方式（排気型）であり、一般の住宅で多く採用されている。
【０００３】
ところで、冬場は給気口１０３から冷たい外気が室内に入って来る。図１７に示す住宅では、リビングなど人が長く居る部屋は暖房されて暖かい。その暖かい空気は、住宅の中心の吸込口に向かってゆっくりと流れ、吸込口１０２から吸い込まれて屋外に排出される。一方、洋室（１）、洋室（２）などは、寝室などに利用された場合、暖房費節約等の観点から、暖房されない場合が多い。また、リビングから暖かい空気も流れ込まないため、室温が低い。明け方になるとトイレなども冷えてしまう。そのため、たとえば、入浴後にそれらの部屋に入ったり、明け方に布団から出てトイレに行ったりすると、ヒートショックを受ける恐れがある。
【０００４】
光熱費を抑えて、ヒートショックを防止し得る程度に暖房する方法として、風呂の残り湯が持つ熱量を利用する方法がある。たとえば、特許文献１には、浴槽内の湯を、ファンからの送風を受ける熱交換器に循環させる暖房システムが開示される。
【０００５】
しかし、この暖房システムでは、室温と浴槽内の残り湯との温度差が少ないため、放熱効率が低く、要求される熱量を得るには大型の熱交換器が必要であった。
【先行技術文献】
【特許文献】
【０００６】
【特許文献１】特開２０００−２８３５５８号公報
【発明の概要】
【発明が解決しようとする課題】
【０００７】
本願の出願人は、図１８に示すように、２４時間換気システムの給気ダクト１０３の中に、風呂の残り湯を循環させる熱交換器１１０を取り付け、給気ダクト１０３を通じて屋外の冷たい空気を屋内に取り入れる際に、この熱交換器１１０で外気を少し暖めるようにした暖房システムを考案した。外気は室内の空気よりも冷たいので、室内の空気を暖める場合に比べて熱換効率は高くなる。
【０００８】
しかし、給気ダクト１０３に取り付ける熱交換器は小型にしなければならないので、より良い熱交換効率が望まれる。そのため、水-水熱交換器の一次側に浴槽水を循環させ、二次側の水を給気ダクト１０３内の熱交換器に循環させる方法は、水-水熱交換器を介する分だけ熱交換効率が下がるため、好ましくない。
【０００９】
一方、風呂の残り湯が冷めてしまった後や残り湯が無い場合にも、給気ダクト１０３に設けた熱交換器で外気を少し暖めてから室内に導入することが望まれる。そのためには、暖房回路の温水を給気ダクト１０３内の熱交換器に循環させればよいが、この場合も、暖房回路の温水を、水−水熱交換器を介さずに、直接、給気ダクト１０３の熱交換器に循環させることが好ましい。
【００１０】
そうすると、浴槽水を給気ダクト１０３の熱交換器に循環させる経路と、暖房回路の温水を給気ダクト１０３の熱交換器に循環させる経路とを切り替えなければならないが、切り替えの際に、該経路に残っている浴槽水が暖房回路に入り込んだり、暖房回路内の温水が浴槽に流れ込んだりすることは好ましくない。
【００１１】
本発明は、上記の問題点に鑑みて成されたものであり、外気を取り入れる給気口に設けた熱交換器に、浴槽水を循環させるか暖房回路の温水を循環させるかを切り替え可能であって、切り替えの際に経路内の浴槽水が暖房回路に入り込んだり、暖房回路の温水が浴槽に流れ込んだりすることを防ぐことのできる暖房システムおよび経路切替ユニットを提供することを目的としている。
【課題を解決するための手段】
【００１２】
かかる目的を達成するための本発明の要旨とするところは、次の各項の発明に存する。
【００１３】
［１］外気を屋内に取り込む給気口に設置される熱交換器と、
浴槽から前記熱交換器の入側に至る熱交往き管と、
前記熱交換器の出側から前記浴槽に至る熱交戻り管と、
前記浴槽から前記熱交往き管、前記熱交換器、前記熱交戻り管を経て前記浴槽に戻る循環経路に浴槽内の浴槽水を循環させる循環ポンプと、
暖房回路に熱媒体流体を循環させる暖房循環ポンプと、前記暖房回路内の熱媒体流体を加熱する熱源部を有する熱源機と、
前記熱交換器を前記循環経路から切り離して前記暖房回路に接続した第２接続状態と、前記熱交換器が前記循環経路に介挿された第１接続状態とに経路を切り替える切替部と、
前記循環ポンプの下流であって前記第２接続状態のときに前記熱交換器が切り離される箇所より浴槽側の前記熱交戻り管に設けられ、前記熱交換器側の熱交戻り管を浴槽側の熱交戻り管に繋げた連通側と、前記熱交換器側の熱交戻り管を所定の排水先に繋げた排水側に切り替える排水弁と、
を有する
ことを特徴とする暖房システム。
【００１４】
上記発明では、熱交換器、熱交往き管、熱交戻り管を含む循環経路に残っている湯水を排水弁から外部に排水することができる。これにより、切替部で経路を切り替えた際に循環経路内の浴槽水が暖房回路に入り込んだり、暖房回路の熱媒体流体が浴槽に流れ込んだりすることを防止できる。
【００１５】
［２］前記切替部を前記第２接続状態から前記第１接続状態に切り替えた後に前記循環ポンプを作動させる最初の所定時間は前記排水弁を前記排水側に設定する第１排水制御を行う
ことを特徴とする［１］に記載の暖房システム。
【００１６】
上記発明では、第２接続状態で暖房循環ポンプを作動させると、暖房回路の熱媒体流体が切り離し箇所より熱交換器側の循環経路を循環する。この状態から第１接続状態に切り替えて循環ポンプを作動させると、切り離し箇所より熱交換器側の循環経路内にあった熱媒体流体が浴槽に流れ込むので、これを防止するために、第２接続状態から第１接続状態に切り替えた後に循環ポンプを作動させる最初の所定時間は排水弁を排水側に設定して、上記循環経路内の熱媒体流体を排水先に排水する。
【００１７】
［３］前記切替部は、前記熱交換器の入側を前記循環経路から切り離して前記暖房回路に接続し、前記熱交換器の出側を前記循環経路の前記熱交戻り管に接続した第３接続状態に切り替え可能であり、
前記切替部を前記第３接続状態に設定し、かつ前記排水弁を排水側に設定して、前記暖房回路から熱媒体流体を前記熱交換器に向けて送出する第２排水制御を行う
ことを特徴とする［１］または［２］に記載の暖房システム。
【００１８】
上記発明では、第２排水制御を行うことにより、熱交換器や熱交往き管、熱交戻り管内に残っている浴槽水を排水先に排水して暖房回路側の熱媒体流体に入れ替える。第２排水制御は、たとえば、第１接続状態で浴槽水を熱交換器に循環させる動作から、第２接続状態で暖房回路の熱媒体流体を熱交換器に循環させる動作に切り替える際に行う。
【００１９】
［４］前記熱源機は、追い焚き経路に浴槽水を循環させて昇温する風呂の追い焚き機能、および前記追い焚き経路を通じて浴槽に注水する注水機能を備え、
前記切替部は、前記浴槽を前記循環経路から切り離して前記追い焚き経路に接続した第４接続状態と、前記追い焚き経路を前記循環経路に接続した第５接続状態とにさらに切り替え可能であり、
前記切替部を前記第５接続状態に設定し、前記排水弁を前記連通側に設定して、前記浴槽に、前記追い焚き経路および前記循環経路を通じて注水する第３排水制御を行う
ことを特徴とする［１］乃至［３］のいずれか１つに記載の暖房システム。
【００２０】
上記発明では、風呂の追い焚きは、切替部を第４接続状態に設定して行う。第５接続状態に設定して浴槽に注水する第３排水制御を行うと、熱交換器や熱交往き管、熱交戻り管を含む循環経路と追い焚き経路を経由して浴槽に注水されるので、追い焚き経路および循環経路を洗浄することができる。
【００２１】
［５］前記切替部は、
前記熱交戻り管の途中に介挿され、前記熱交換器側の熱交戻り管を前記浴槽側の熱交戻り管に接続するか、前記熱交換器側の熱交戻り管を前記暖房回路の戻り管に接続するかを切り替える第１切替弁と、
前記熱交往き管の途中に介挿され、前記熱交換器側の熱交往き管を前記浴槽側の熱交往き管に接続するか、前記熱交換器側の熱交往き管を前記暖房回路の往き管に接続するかを切り替える第２切替弁と、
前記第２切替弁より前記浴槽側の前記熱交往き管の途中に介挿され、前記浴槽側の前記熱交往き管を前記第２切替弁側の前記熱交往き管に接続するか、前記浴槽側の前記熱交往き管を風呂の追い焚き経路の戻り管に接続するかを切り替える第３切替弁と、
を有し、
前記循環ポンプは、前記第２切替弁と前記第３切替弁の間の前記熱交往き管に介挿されて、前記第３切替弁側から前記第２切替弁側に向けて送水し、
前記排水弁は前記第１切替弁より浴槽側の前記熱交戻り管に設けてあり、
前記追い焚き経路の往き管は前記第１切替弁と前記排水弁との間の熱交戻り管に接続され、
前記切替部はさらに、
前記追い焚き経路の戻り管と前記循環ポンプの出側を配管で接続すると共に該配管の途中に前記循環ポンプの出側から前記追い焚き経路の戻り管側への流れを阻止する第１逆止弁と、
前記追い焚き経路の往き管の途中に設けられた第２逆止弁と、
を有する
ことを特徴とする［１］乃至［４］のいずれか１つに記載の暖房システム。
【００２２】
上記発明は、切替部の具体的な構成例である。
【００２３】
［６］前記熱交換器は、中空平板状の複数枚の扁平管が間隔を持って積層されると共に隣り合う扁平管はその一端部側と他端部側のそれぞれで接続部よって積層方向に連結され、流入口に流入した流体が各扁平管および接続部を通って流出口から流出するように構成されたものである
ことを特徴とする［１］乃至［５］のいずれか１つに記載の暖房システム。
【００２４】
［７］［１］乃至［６］のいずれか１つに記載の暖房システムにおける切替部と排水弁と循環ポンプを備えた経路切替ユニット。
【発明の効果】
【００２５】
本発明に係る暖房システムおよび経路切替ユニットによれば、給気口に設けた熱交換器に浴槽水を循環させるか暖房回路内の熱媒体流体を循環させるかを切り替え可能であり、かつ、この切り替えにより、経路内の浴槽水が暖房回路に入り込んだり、経路内の熱媒体流体が浴槽に流れ込んだりすることを防ぐことができる。
【図面の簡単な説明】
【００２６】
【図１】本発明の実施の形態に係る暖房システムの概略構成を示す図である。
【図２】熱交換ユニットを給気ダクトに挿入した状態を示す図である。
【図３】熱交換ユニットを示す斜視図である。
【図４】熱交換器を構成する３種類の扁平管を示す図である。
【図５】一往復型の熱交換器における通水経路を示す図である。
【図６】並列型の熱交換器における通水経路を示す図である。
【図７】追い焚き動作における湯水の流れを示す図である。
【図８】床暖房用の温水マットで暖房動作を行いながらリビングルームの熱交換ユニットで給気予熱を行う場合における温水の循環経路を示す図である。
【図９】床暖房用の温水マットによる暖房は行わずに、リビングルームの熱交換ユニットでの給気予熱を行う場合における温水の循環経路を示す図である。
【図１０】床暖房用の温水マットによる暖房は行わずに、リビングルームの熱交換ユニットと寝室等の熱交換ユニットで給気予熱を行う場合における温水の循環経路を示す図である。
【図１１】暖房用の温水を循環させて寝室等の熱交換ユニットで給気予熱を行う場合における温水の循環経路を示す図である。
【図１２】浴槽水を循環させて寝室等の熱交換ユニットで給気予熱を行う場合における温水の循環経路を示す図である。
【図１３】寝室等の熱交換ユニットで浴槽水による給気予熱と、リビングルームの熱交換ユニットで暖房回路の温水による給気予熱を並行して実行する場合における温水の循環経路を示す図である。
【図１４】第１排水制御を行うときの通水経路を示す図である。
【図１５】第２排水制御を行うときの通水経路を示す図である。
【図１６】第３排水制御を行うときの通水経路を示す図である。
【図１７】２４時間換気システムの設置例を示す図である。
【図１８】給気口に熱交換器を取り付けた状態の一例を示す図である。
【発明を実施するための形態】
【００２７】
以下、図面に基づき本発明の実施の形態を説明する。
【００２８】
図１は、本発明の実施の形態に係る暖房システム８の概略構成を示す図である。暖房システム８は、給湯暖房熱源機１０と、経路切替ユニット４０と、暖房用放熱器３と、２４時間換気システムの給気口（給気ダクト）１０３に設けられた熱交換ユニット６０を備えている。ここでは、熱交換ユニット６０は、南側居室であるリビングルームの給気ダクト１０３内、および、寝室やその他の居室(北側居室等)の給気ダクト１０３内に設けてある。暖房用放熱器３は、床暖房用の温水マットとするが、これに限定されるものではない。
【００２９】
暖房システム８は、給水を加熱して浴室内のシャワーや台所の水栓等へお湯を供給する給湯機能、浴槽５へ湯を落とし込み湯張りする注湯機能、浴槽５内の浴槽水を追い焚きして昇温する追い焚き機能、床暖房用の温水マット等の暖房用放熱器３に温水を循環させて暖房する暖房機能、熱交換ユニット６０に暖房用の温水や浴槽水を循環させて外気と熱交換させる給気予熱機能などを備えている。また、浴槽に風呂設定温度の湯を設定水位になるように自動的に湯張りし、湯張り完了後は設定水位・風呂設定温度が所定時間（たとえば、４時間）に渡って維持されるように追い焚き等を行う風呂の自動運転の機能を備えている。
【００３０】
暖房システム８の給湯暖房熱源機１０は、バーナによって加熱される給湯用の第１熱交換器１１、および、追い焚きおよび暖房用の第２熱交換器１２を有する。第１熱交換器１１、第２熱交換器１２はいずれも、顕熱熱交換器１１ａ、１２ａと排気の潜熱を回収する潜熱熱交換器１１ｂ、１２ｂを備えている。
【００３１】
給湯管１４の先に設けられた水栓が開かれると、給水元から供給される給水は、給水管１３、第１熱交換器１１の水管および給湯管１４を経て出湯される。給水管１３には、水量センサ１５、水量を調整(制限)するための水量サーボ１６などが設けてある。給水管１３と給湯管１４は、水量サーボ１６の直ぐ下流でバイパス管１７によって接続されており、バイパス管１７の途中には、バイパス管１７に流す水量を調整するバイパスサーボ１８が設けてある。
【００３２】
給湯管１４には第１熱交換器４１を出た直後の湯温を検出する熱交温度センサ２１、バイパス管１７からの給水が合流した後の湯温（出湯温度）を検出する給湯温度センサ２２が設けてある。
【００３３】
床暖房用の温水マット３に温水を循環させる暖房回路の戻り配管８１から給湯暖房熱源機１０に戻ってきた湯は、集合ヘッダ２３、機内戻り管２４、第２熱交換器１２の潜熱熱交換器１２ｂ、大気開放のシスターン２５、暖房用循環ポンプ２６を経由し、一部は暖房用循環ポンプ２６下流の分岐箇所から機内往き管２７、熱動弁分岐ヘッダ２８を経由して、暖房回路の往き配管(低温往き配管)８２へと流れ出る。
【００３４】
なお、集合ヘッダ２３は、戻り配管８１からの湯と暖房戻り管８８からの湯を合流させて機内戻り管２４に送り出す。熱動弁分岐ヘッダ２８は、機内往き管２７からの湯を往き配管８２と暖房往き管８７に分岐させる機能を有すると共に、往き配管８２に送出するか否かを切り替える熱動弁と、暖房往き管８７に送出するか否かを切り替える熱動弁を内蔵している。暖房往き管８７や暖房戻り管８８も暖房回路に含まれる。
【００３５】
暖房用循環ポンプ２６の下流の分岐箇所で分岐した他の一部の湯は第２熱交換器１２の顕熱熱交換器１２ａを経由し、流量制御弁２９、追い焚き用水-水熱交換器３０の一次側水管、戻し配管３１を経て、機内戻り管２４の途中に合流する。追い焚き用水-水熱交換器３０の一次側に流す湯量は流量制御弁２９で調整される。
【００３６】
追い焚き用水-水熱交換器３０の二次側水管の入側に接続された追い焚き戻り管３２には風呂流水スイッチ３３、風呂循環ポンプ３４が設けてあり、追い焚き用水-水熱交換器３０の二次側水管の出側には追い焚き往き管３５が接続されている。また、給湯温度センサ２２の下流で給湯管１４から分岐した注湯管３６は追い焚き往き管３５の途中に合流して接続されている。注湯管３６の途中には、注湯管３６を開閉する注湯弁３７が設けてある。
【００３７】
暖房回路の往き配管８２は、リビングルーム等の床下に設置された床暖房用の温水マット３の入側に接続され、床暖房用の温水マット３の出側は水管８３を経て、リビングルームの給気ダクト１０３内に設置された熱交換ユニット６０の入側に接続され、該熱交換ユニット６０の出側には戻り配管８１が接続されている。戻り配管８１は給湯暖房熱源機１０の集合ヘッダ２３に繋がっている。床暖房用の温水マット３の手前の往き配管８２には切替弁８４が介挿されている。切替弁８４は、往き配管８２を床暖房用の温水マット３の入側に接続するか、床暖房用の温水マット３をバイパスして水管８３に接続するかを切り替える。切替弁８４は、後述する制御部９３からの制御信号に従って切り替わる。なお、切替弁８４は手動で切り替えるタイプであってもよい。
【００３８】
経路切替ユニット４０の第１接続口には、寝室等の給気ダクト１０３に設けられた熱交換ユニット６０の出側に一端が接続された熱交戻り管８６の他端が接続されている。経路切替ユニット４０の第２接続口には集合ヘッダ２３の一の入口に一端が接続された暖房戻り管８８の他端が接続されている。経路切替ユニット４０の第３接続口には、給湯暖房熱源機１０の熱動弁分岐ヘッダ２８の一の出口に一端が接続された暖房往き管８７の他端が接続され、経路切替ユニット４０の第４接続口には、寝室等の給気ダクト１０３に設けられた熱交換ユニット６０の入側に一端が接続された熱交往き管８５の他端が接続されている。
【００３９】
また、経路切替ユニット４０の第５接続口には一端が浴槽５の循環金具の流入口に接続された風呂戻り管８９の他端が接続され、第６接続口には、給湯暖房熱源機１０の風呂循環ポンプ３４の入側に一端が接続された追い焚き戻り管３２の他端が接続されている。経路切替ユニット４０の第７接続口には、一端が浴槽５の循環金具の流出口に接続された風呂往き管９０の他端が接続されている。経路切替ユニット４０の第８接続口には給湯暖房熱源機１０の追い焚き用水-水熱交換器３０の二次側水管の出側に一端が接続された追い焚き往き管３５の他端が接続されている。
【００４０】
なお、風呂戻り管８９は、浴槽水を寝室の熱交換ユニット６０に循環させる際には、経路切替ユニット４０の内部で熱交往き管８５に接続され、浴槽５と寝室の熱交換ユニット６０の入側を接続する配管（請求項における熱交往き管）の一部になっている。風呂往き管９０は、浴槽水を寝室の熱交換ユニット６０に循環させる際には、経路切替ユニット４０の内部で熱交戻り管８６に接続され、浴槽５と寝室の熱交換ユニット６０の出側を接続する配管（請求項における熱交戻り管）の一部になっている。
【００４１】
経路切替ユニット４０は、内部に、第１三方弁４１、第２三方弁４２、第３三方弁４３、排水弁４４、浴湯循環ポンプ４５、第１逆止弁４６、第２逆止弁４７を備えている。各三方弁４１〜４３および排水弁４４はそれぞれ第１接続口と第２接続口と第３接続口を備え、第１接続口と第２接続口を連通させた第１第２連通側と、第１接続口と第３接続口を連通させた第１第３連通側に切り替えることができる。図中、各接続口にはそれぞれに対応する番号を付してある。
【００４２】
経路切替ユニット４０の第１接続口は、第１三方弁４１の第１接続口に接続され、経路切替ユニット４０の第２接続口は第１三方弁４１の第３接続口に接続されている。経路切替ユニット４０の第３接続口は、第２三方弁４２の第３接続口に接続され、経路切替ユニット４０の第４接続口は第２三方弁４２の第１接続口に接続されている。
【００４３】
経路切替ユニット４０の第５接続口は、第３三方弁４３の第１接続口に接続され、経路切替ユニット４０の第６接続口は第３三方弁４３の第３接続口に接続されている。経路切替ユニット４０の第７接続口は、排水弁４４の第２接続口に接続され、経路切替ユニット４０の第８接続口は第２逆止弁４７の入側に接続されている。
【００４４】
第１三方弁４１の第２接続口は、排水弁４４の第１接続口に内部配管で接続されると共に、該内部配管は途中で分岐して第２逆止弁４７の出側に接続されている。第２逆止弁４７は、第１三方弁４１の第２接続口側から経路切替ユニット４０の第８接続口に向かう流れを阻止する。
【００４５】
第２三方弁４２の第２接続口は第３三方弁４３の第２接続口に内部配管で接続され、該内部配管の途中に浴湯循環ポンプ４５が介挿されている。浴湯循環ポンプ４５は第３三方弁４３の第２接続口側から第２三方弁４２の第２接続口側に向けて送水する。第３三方弁４３の第３接続口と浴湯循環ポンプ４５の出側との間に第１逆止弁４６が設けてある。第１逆止弁４６は、浴湯循環ポンプ４５の出側から第３三方弁４３の第３接続口に向かう流れを阻止する。
【００４６】
給湯暖房熱源機１０は、各部の動作を制御する制御部９３を備えている。制御部９３は、ＣＰＵ、ＲＯＭ、ＲＡＭ等を主要部とする回路で構成され、給湯暖房熱源機１０、経路切替ユニット４０、切替弁８４(手動でない場合)の動作を制御する。制御部９３には、ユーザから各種の操作を受け付ける機能および各種の情報を表示する機能を備えたリモコン９７が接続されている。なお、制御部９３をネットワークに接続可能とし、該ネットワークを通じて各ユーザの携帯型情報処理端末から遠隔操作を受けるようにしてもよい。携帯型情報処理端末は、ブラウザや暖房システム８に係るアプリケーションがインストールされたタブレットやスマートフォンなどでよい。
【００４７】
暖房システム８の熱交換ユニット６０は、図１７で示す２４時間換気システムの給気ダクト１０３の中に設置される。暖房システム８は暖房回路を流れる温水や浴槽内にある暖かい浴槽水を熱交換ユニット６０に循環させることで冬場の冷たい外気を少し温めてから室内に導入する機能を有する。熱交換ユニット６０で外気を温めて室内に導入する機能を給気予熱機能とする。なお、浴槽５内の浴槽水を熱交換ユニット６０に循環させて給気予熱を行えば、浴槽水の温度を下げる、風呂さまし機能が実現される。
【００４８】
図２は、熱交換ユニット６０を給気ダクト１０３に挿入した状態を示している。給気ダクト１０３の屋外側の入口には給気口カバー１０８が取り付けられている。給気口カバー１０８は、給気ダクト１０３の屋外側の入口の前に、該入口の前方と上方と下方を覆い且つ左右に貫通した通風路を形成しており、地面から建物の外壁に沿って下から吹き上げる風が給気ダクト１０３の中に直接入り込むことを防止する。
【００４９】
図３は、熱交換ユニット６０を示す斜視図である。熱交換ユニット６０は、温水が通される熱交換器６１と、熱交換器６１の外縁と給気ダクト１０３の内壁との隙間を塞ぐ仕切り板６２を有する。熱交換ユニット６０の熱交換器６１は、複数枚の扁平管６３が間隔を持って積層された構造を有する。各扁平管６３は、内部が空洞で矩形(ここでは略正方形)の薄い平板状を成している。各扁平管６３の内部空洞(水路)の高さは0.6mm、内部空洞を構成する壁面の厚み（板厚）は各0.2mmであり、積層された扁平管２３同士の間隔は2.2mmになっている。扁平管６３の各サイズはこれに限定されるものではない。
【００５０】
熱交換器６１は、温水の流入口６５と流出口６６を備えており、流入口６５に流入した温水は、積層された各扁平管６３を通って流出口６６から流出する。
【００５１】
熱交換器６１の構造をより詳細に説明する。
【００５２】
矩形の各扁平管６３は、その一方の対角線上に位置する２つの角部にそれぞれ接続部６４を備えており、積層方向に隣り合う扁平管６３同士は接続部６４によって連結される。接続部６４は、扁平管６３の壁面から積層間隔の約２分の１の高さに突起した短い円筒状をなしており、接続部６４のある位置の扁平管６３の壁面（表裏の一方もしくは双方）には筒状の接続部６４に通じる穴が開設されている。
【００５３】
図４に示すように、本実施の形態では、扁平管６３として、対角線上にある２つの接続部６４の双方で表裏の壁面に穴が開設された貫通型扁平管６３ａと、対角線上にある２つの接続部６４の双方で裏側の壁面に穴が開設され、表側の壁面は片側の接続部６４にのみ対応する位置に穴が開設された片表型扁平管６３ｂと、対角線上にある２つの接続部６４の双方で表側の壁面に穴が開設され、裏側の壁面は片方の接続部６４についてのみ対応する位置に穴が開設された片裏型扁平管６３ｃの３種類を設けてあり、これらを組み合わせることで、各種の通水経路の熱交換器６１を構成する。
【００５４】
たとえば、図５に示すように、上から、片表型扁平管６３ｂ×１、貫通型扁平管６３ａ×２、片裏型扁平管６３ｃ×１、片表型扁平管６３ｂ×１、貫通型扁平管６３ａ×２、片裏型扁平管６３ｃ×１のように積層すれば、図中の破線で示すように温水が流れる、一往復型の熱交換器が構成される。扁平管６３の数が多い場合には、２往復型、３往復型…、とすることもできる。往復型の場合、流入口６５と流出口６６は同じ接続部側に形成される。
【００５５】
一方、図６に示すように、すべての扁平管６３で同じ方向に温水が流れる並列型の熱交換器６１を構成することも可能である。この例では、上から、片表型扁平管６３ｂ×１、貫通型扁平管６３ａ×５、片裏型扁平管６３ｃ×１が積層されている。並列型の場合、流入口６５は一方の接続部６４に形成され、流出口６６は他方の接続部６４に形成される。往路、復路、往路のような構成も可能である。
【００５６】
各扁平管６３を積層することで隣り合う扁平管６３の接続部６４同士が接続して連結する。壁面に穴のある接続部６４同士を接続すれば、その箇所で隣り合う扁平管６３が接続部６４を介して連通する。
【００５７】
仕切り板６２は、各扁平管６３に直交しかつ給気ダクト１０３の延設方向に対して斜め方向を臨むように配置されている。ここでは、接続部６４が配置された２つの角部を結ぶ対角線とは異なる方の対角線に沿って配置されている(図３参照)。
【００５８】
仕切り板６２には、矩形の開口が形成され、その中に熱交換器６１を収める。
【００５９】
給気ダクト１０３の通路面積は仕切り板６２の該開口の部分で最も小さくなる。仕切り板６２を給気ダクト１０３の延設方向に直交して設けた場合、給気ダクト１０３が断面円形ならば、該仕切り板６２の中に形成可能な最大サイズの矩形の開口は正方形になる。一方、仕切り板６２を給気ダクト１０３の延設方向に対して斜めに配置すると、仕切り板６２の外形が楕円形になるので、この楕円形の仕切り板６２の中に形成可能な最大サイズの矩形の開口は長方形になり、前述の正方形の開口に比べて開口面積が大きくなる。その結果、給気ダクト１０３内の空気流が熱交換器６１を通る際の通気抵抗を小さく抑えることができる。
【００６０】
次に、暖房システム８の各種機能に係る動作を説明する。
【００６１】
＜給湯動作＞
出湯栓が開かれて給湯暖房熱源機１０の水量センサ１５が通水を検出すると、制御部９３は燃焼ファン(図示省略)をオンし、第１熱交換器１１側のバーナを点火して燃焼ガスを燃焼させる。給水元から給水管１３に流入する給水は、第１熱交換器１１（顕熱熱交換器１１ａおよび潜熱熱交換器１１ｂ）を通る際に加熱され、さらにバイパスサーボ１８で水量調整されたバイパス管１７からの給水と混合され、設定温度の湯にされて給湯管１４から出湯栓へと出湯される。
【００６２】
＜注湯動作＞
注湯動作は、風呂の自動運転の開始やリモコン９７等でユーザから注湯の指示を受けた場合に実行される。注湯動作では、制御部９３は、注湯弁３７を開くと共に燃焼ファンを作動させ、第１熱交換器１１側のバーナを点火して燃焼ガスを燃焼させる。さらに、経路切替ユニット４０の排水弁４４を第１第２連通側(排水しない側)に、第３三方弁４３を第１第３連通側に設定する。これにより、給湯動作と同様にして生成された湯が注湯管３６を通じて追い焚き往き管３５および追い焚き戻り管３２に流れ込み、経路切替ユニット４０内の第３三方弁４３(第３接続口から第１接続口へ通過)、排水弁４４（第１接続口から第２接続口へ通過）を経て、風呂戻り管８９および風呂往き管９０から浴槽５に落とし込まれる。なお、バーナを燃焼させずに上記の動作を行えば、給水を浴槽５に注ぎ込む注水動作となる。
【００６３】
＜追い焚き動作＞
図７は、追い焚き動作における湯水の流れを示している。追い焚き動作は、風呂の自動運転の指示に基づいて上記の注湯動作が行われて設定水位に湯張りされた後、浴槽５内の浴槽水の温度を風呂設定温度まで昇温させるとき、あるいは、風呂の自動運転中に浴槽５内の湯水を風呂設定温度に維持するために昇温するとき、あるいは、リモコン９７等でユーザから追い焚きの指示操作を受けた場合に実行される。
【００６４】
追い焚き動作では、制御部９３は、流量制御弁２９を開き、暖房用循環ポンプ２６を作動させると共に、燃焼ファンを作動させ、第２熱交換器１２側のバーナを点火して燃焼ガスを燃焼させる。これにより、シスターン２５から暖房用循環ポンプ２６、第２熱交換器１２の顕熱熱交換器１２ａ、流量制御弁２９、追い焚き用水-水熱交換器３０の一次側、戻し配管３１、機内戻り管２４、第２熱交換器１２の潜熱熱交換器１２ｂを経てシスターン２５に戻る回路に湯水が循環する。循環する湯水は第２熱交換器１２を通る際に昇温される。
【００６５】
さらにこの動作と共に、浴槽５内の湯を追い焚き用水-水熱交換器３０の二次側に循環させる動作を行う。詳細には、経路切替ユニット４０の排水弁４４を第１第２連通側（排水しない側）に、第３三方弁４３を第１第３連通側に設定し、給湯暖房熱源機１０の風呂循環ポンプ３４を作動させる。これにより、浴槽５から風呂戻り管８９、経路切替ユニット４０内の第３三方弁４３、追い焚き戻り管３２、風呂循環ポンプ３４、風呂流水スイッチ３３、追い焚き用水-水熱交換器３０の二次側、追い焚き往き管３５、経路切替ユニット４０内の第２逆止弁４７および排水弁４４、風呂往き管９０を通って浴槽５に戻るように浴槽水が循環する。浴槽水は、追い焚き用水-水熱交換器３０の二次側を通る際に、追い焚き用水-水熱交換器３０の一次側を循環する湯と熱交換して昇温される。
【００６６】
＜給気予熱動作＞
給気予熱動作には以下の（１）〜（６）に示す各種の動作がある。
【００６７】
（１）床暖房用の温水マット３で暖房動作を行いながらリビングルームの熱交換ユニット６０で給気予熱を行う
図８は、上記の場合の湯水の流れを示している。この動作は、たとえば、寒い夜の帰宅直後にリビングを床暖房用の温水マット３で暖房する際等に行われる。
【００６８】
制御部９３は、暖房回路の往き配管８２と床暖房用の温水マット３の入側が通じるように切替弁８４を設定し、流量制御弁２９を閉じ、熱動弁分岐ヘッダ２８の往き配管８２側の熱動弁を開き、暖房用循環ポンプ２６を作動させ、第２熱交換器１２側のバーナで第２熱交換器１２の中を流れる湯水を昇温する。これにより、暖房用循環ポンプ２６から送り出された湯水は、機内往き管２７、熱動弁分岐ヘッダ２８、往き配管８２、床暖房用の温水マット３、水管８３、リビングルームの熱交換ユニット６０、戻り配管８１、集合ヘッダ２３、機内戻り管２４、第２熱交換器１２の潜熱熱交換器１２ｂ、シスターン２５、暖房用循環ポンプ２６の吸い込み側に戻るように循環する。また、暖房回路を循環する温水の温度を高めるために、暖房用循環ポンプ２６から送り出された湯の一部は第２熱交換器１２の顕熱熱交換器１２ａで昇温されてシスターン２５に入るように流れる。
【００６９】
（２）床暖房用の温水マット３による暖房は行わずに、リビングルームの熱交換ユニット６０で給気予熱を行う
図９は、上記の場合の湯水の流れを示している。この動作は、たとえば、（１）の動作で部屋が十分に暖まった後に行われる。部屋が暖まっても、外気は冷たいので、給気予熱は継続して行う。
【００７０】
制御部９３は、往き配管８２からの温水が床暖房用の温水マット３をバイパスするように切替弁８４を設定し、流量制御弁２９を閉じ、熱動弁分岐ヘッダ２８の往き配管８２側の熱動弁を開き、暖房用循環ポンプ２６を作動させ、第２熱交換器１２側のバーナで第２熱交換器１２の中を流れる湯水を昇温する。これにより、暖房用循環ポンプ２６から送り出された湯は、機内往き管２７、熱動弁分岐ヘッダ２８、往き配管８２、切替弁８４、水管８３、リビングルームの熱交換ユニット６０、戻り配管８１、集合ヘッダ２３、機内戻り管２４、第２熱交換器１２の潜熱熱交換器１２ｂ、シスターン２５、暖房用循環ポンプ２６の吸い込み側に戻るように循環する。また、暖房回路を循環する温水の温度を高めるために、暖房用循環ポンプ２６から送り出された湯の一部は第２熱交換器１２の顕熱熱交換器１２ａで昇温されてシスターン２５に入るように流れる。
【００７１】
（３）床暖房用の温水マット３による暖房は行わずに、リビングルームの熱交換ユニット６０と寝室等の熱交換ユニット６０で給気予熱を行う
図１０は、上記の場合の湯水の流れを示している。この動作は、（２）の動作では暖房負荷が小さ過ぎて給湯暖房熱源機１０の熱効率が著しく低下する場合に、寝室等の熱交換ユニット６０にも温水を流して暖房負荷を増やして熱の有効利用を図る、といった場合に行われる。
【００７２】
制御部９３は、往き配管８２からの温水が床暖房用の温水マット３をバイパスするように切替弁８４を設定し、流量制御弁２９を閉じ、熱動弁分岐ヘッダ２８の往き配管８２側の熱動弁および暖房往き管８７側の熱動弁を開き、さらに経路切替ユニット４０の第１三方弁４１を第１第３連通側、第２三方弁４２を第１第３連通側に設定し、暖房用循環ポンプ２６を作動させ、第２熱交換器１２側のバーナで第２熱交換器１２の中を流れる湯水を昇温する。これにより、暖房用循環ポンプ２６から送り出された湯は、機内往き管２７から熱動弁分岐ヘッダ２８に入り、その一部は往き配管８２、切替弁８４、水管８３、リビングルームの熱交換ユニット６０、戻り配管８１、集合ヘッダ２３、機内戻り管２４、第２熱交換器１２の潜熱熱交換器１２ｂ、シスターン２５、暖房用循環ポンプ２６の吸い込み側に戻るように循環する。
【００７３】
また、熱動弁分岐ヘッダ２８で分岐して暖房往き管８７側に流れた湯は、経路切替ユニット４０内の第２三方弁４２を経て、熱交往き管８５、寝室の熱交換ユニット６０、熱交戻り管８６を流れ、さらに経路切替ユニット４０内の第１三方弁４１を経て、暖房戻り管８８から集合ヘッダ２３に戻るように流れる。なお、暖房回路を循環する温水の温度を高めるために、暖房用循環ポンプ２６から送り出された湯の一部は第２熱交換器１２の顕熱熱交換器１２ａで昇温されてシスターン２５に入るように流れる。
【００７４】
（４）暖房回路の温水を循環させて寝室等の熱交換ユニット６０で給気予熱を行う
図１１は、上記の場合の湯水の流れを示している。この動作は、たとえば、寝室で就寝中に行われる。
【００７５】
制御部９３は、流量制御弁２９を閉じ、熱動弁分岐ヘッダ２８の暖房往き管８７の熱動弁を開き、経路切替ユニット４０の第１三方弁４１を第１第３連通側、第２三方弁４２を第１第３連通側に設定し、暖房用循環ポンプ２６を作動させ、第２熱交換器１２側のバーナで第２熱交換器１２の中を流れる湯水を昇温する。これにより、暖房用循環ポンプ２６から送り出された湯は、機内往き管２７から熱動弁分岐ヘッダ２８、暖房往き管８７、経路切替ユニット４０内の第２三方弁４２を経て、熱交往き管８５、寝室の熱交換ユニット６０、熱交戻り管８６を流れ、さらに経路切替ユニット４０内の第１三方弁４１を経て、暖房戻り管８８から集合ヘッダ２３に入り、機内戻り管２４、第２熱交換器１２の潜熱熱交換器１２ｂ、シスターン２５、暖房用循環ポンプ２６の吸い込み側に戻るように循環する。また、暖房回路を循環する温水の温度を高めるために、暖房用循環ポンプ２６から送り出された湯の一部は第２熱交換器１２の顕熱熱交換器１２ａで昇温されてシスターン２５に入るように流れる。
【００７６】
（５）浴槽水を循環させて寝室等の熱交換ユニット６０で給気予熱を行う
図１２は、上記の場合の湯水の流れを示している。この動作は、外気を温めて寝室に導入する暖房目的で行われるほか、浴槽５内の浴槽水の温度を強制的に下げる風呂さまし機能に係る動作としても実行される。
【００７７】
制御部９３は、経路切替ユニット４０の第１三方弁４１、第２三方弁４２．第３三方弁４３、排水弁４４をすべて第１第２連通側に設定し、浴湯循環ポンプ４５を作動させる。これにより、浴槽５内の浴槽水は、浴槽５から風呂戻り管８９、経路切替ユニット４０内の第３三方弁４３、浴湯循環ポンプ４５、第２三方弁４２を経由し、さらに熱交往き管８５、寝室の熱交換ユニット６０、熱交戻り管８６、経路切替ユニット４０内の第１三方弁４１、排水弁４４を経て、風呂往き管９０から浴槽５に戻るように循環する。
【００７８】
（６）浴槽水を循環させて寝室等の熱交換ユニット６０で給気予熱を行うと共に、床暖房用の温水マット３で暖房動作を行いながらリビングルームの熱交換ユニット６０でも給気予熱を行う。
【００７９】
これは（１）と（５）の動作を並行動作させるものである。（２）と（５）の動作を並行動作させることも可能である。
【００８０】
図１３は上記の場合の湯水の流れを示している。制御部９３は、暖房回路の往き配管８２と床暖房用の温水マット３の入側が通じるように切替弁８４を設定し、流量制御弁２９を閉じ、熱動弁分岐ヘッダ２８の往き配管８２側の熱動弁を開き、暖房用循環ポンプ２６を作動させ、第２熱交換器１２側のバーナで第２熱交換器１２の中を流れる湯水を昇温する。さらに、制御部９３は、経路切替ユニット４０の第１三方弁４１、第２三方弁４２．第３三方弁４３、排水弁４４をすべて第１第２連通側に設定し、浴湯循環ポンプ４５を作動させる。
【００８１】
これらにより、暖房用循環ポンプ２６から送り出された湯水は、機内往き管２７、熱動弁分岐ヘッダ２８、往き配管８２、床暖房用の温水マット３、水管８３、リビングルームの熱交換ユニット６０、戻り配管８１、集合ヘッダ２３、機内戻り管２４、第２熱交換器１２の潜熱熱交換器１２ｂ、シスターン２５、暖房用循環ポンプ２６の吸い込み側に戻るように循環する。また、暖房回路を循環する温水の温度を高めるために、暖房用循環ポンプ２６から送り出された湯の一部は第２熱交換器１２の顕熱熱交換器１２ａで昇温されてシスターン２５に入るように流れる。
【００８２】
また、浴槽５内の浴槽水は、浴槽５から風呂戻り管８９、経路切替ユニット４０内の第３三方弁４３、浴湯循環ポンプ４５、第２三方弁４２を経由し、さらに熱交往き管８５、寝室の熱交換ユニット６０、熱交戻り管８６、経路切替ユニット４０内の第１三方弁４１、排水弁４４を経て、風呂往き管９０から浴槽５に戻るように循環する。
【００８３】
次に、熱交往き管８５、寝室側の熱交換ユニット６０、熱交戻り管８６等の配管内の温水を排水する排水制御について説明する。
【００８４】
寝室等の熱交換ユニット６０を用いた給気予熱には、暖房回路の温水を用いて行う前述の（３）（４）の動作(図１０、図１１)と、浴槽水を用いて行う前述の（５）（６）の動作（図１２、図１３）があり、これらを切り替えて実施することができる。
【００８５】
たとえば、暖房回路の温水を用いる（４）の動作(図１１)を行っているときに、入浴中のユーザから風呂さまし機能の実行要求を受けると（５）の動作(図１２)への切り替える、あるいは、（４）の動作で給気予熱を行っていたが、風呂の自動運転が終了したので、その後は浴槽水を用いた（５）の動作に切り替える。このとき、切替前に熱交換ユニット６０を流れていた暖房回路の温水が浴槽５に流れ込むのは好ましくない。そこで、熱交換ユニット６０を含む循環経路内の温水(暖房回路側の温水)を外部に排水しながら浴槽水に入れ替える第１排水制御を行う。
【００８６】
図１４は、第１排水制御を行うときの湯水の流れを示している。制御部９３は、図１１に示す（４）の動作から、図１４に示す第１排水制御を所定時間行ってから図１２に示す（５）の動作へ切り替える。第１排水制御では、制御部９３は、経路切替ユニット４０の第１三方弁４１、第２三方弁４２．第３三方弁４３を第１第２連通側に設定し、排水弁４４を第１第３連通状態（排水側）に設定した後、浴湯循環ポンプ４５を所定時間作動させる。
【００８７】
これにより、浴槽５内の浴槽水は、浴槽５から風呂戻り管８９、経路切替ユニット４０内の第３三方弁４３、浴湯循環ポンプ４５、第２三方弁４２を経由し、さらに熱交往き管８５、寝室の熱交換ユニット６０、熱交戻り管８６、経路切替ユニット４０内の第１三方弁４１、排水弁４４を経て、排水口に排水される。この動作により、それまで上記の経路内にあった暖房回路の温水が排水されて浴槽水に入れ替わる。上記第１排水制御は、少なくとも浴槽水が排水弁４４から排水され始めるまで行う。経路長と浴湯循環ポンプ４５の送出量とから排水に必要な時間を算出すればよい。
【００８８】
第１排水制御を行った後、制御部９３は排水弁４４を第１第２連通状態に切り替える。これにより（５）の動作による給気予熱が開始される。このように（４）の動作の経路から、経路切替ユニット４０の第１三方弁４１、第２三方弁４２．第３三方弁４３を第１第２連通側に切り替えた後に浴湯循環ポンプ４５を作動させるときの最初の所定時間は排水弁４４を排水側に設定することで、浴槽５に暖房回路の温水が流れ込むことが防止される。
【００８９】
次に、第２排水制御について説明する。制御部９３は、給気予熱を図１２に示す（５）の動作から図１１に示す（４）の動作に切り替える場合に第２排水制御を行う。たとえば、風呂の自動運転終了後の残り湯を利用して（５）の動作による給気予熱を行った翌日の昼等に給気予熱を稼動させる場合は、浴槽５に温かい湯がないので、暖房回路の温水を利用した（４）の動作で給気予熱を行うことになる。この場合、昨夜の(５)の動作による給気予熱で循環させた浴槽水が熱交換ユニット６０およびその前後の熱交往き管８５、熱交戻り管８６に残っているため、そのまま（４）の動作を開始すると、管内に残っていた浴槽水が暖房回路に流れ込むので好ましくない。そこで、第２排水制御を行って、管内に残っている浴槽水を排水口から排水してから（４）の動作に切り替える。
【００９０】
図１５は、第２排水制御を行うときの湯水の流れを示している。制御部９３は、流量制御弁２９を閉じ、熱動弁分岐ヘッダ２８の暖房往き管８７側の熱動弁を開き、経路切替ユニット４０の第１三方弁４１を第１第２連通側、第２三方弁４２を第１第３連通側、排水弁４４を第１第３連通側(排水側)に設定して、暖房用循環ポンプ２６を作動させる。
【００９１】
これにより、シスターン２５内の水が暖房用循環ポンプ２６、機内往き管２７、熱動弁分岐ヘッダ２８、暖房往き管８７、経路切替ユニット４０内の第２三方弁４２、熱交往き管８５、寝室側の熱交換ユニット６０、熱交戻り管８６、経路切替ユニット４０内の第１三方弁４１、排水弁４４を経て排水口に排水される。これにより、熱交換ユニット６０や熱交戻り管８６、暖房往き管８７等に残っていた浴槽水がシスターン２５からの水に置き換えられる。なお、シスターン２５には、シスターン２５内の水位が一定になるように給水が自動的に補給される。
【００９２】
次に、第３排水制御について説明する。寝室の熱交換ユニット６０を使用した給気予熱を冬になって初めて使う場合は、去年の給気予熱で使用した浴槽水もしくは暖房回路の温水が熱交換ユニット６０や給気予熱に係る通水経路に残っている。そこで、第３排水制御では、給気予熱に関連する通水経路をすべて綺麗な給水で洗浄する。制御部９３は、シーズン最初の給気予熱を行う前等に第３排水制御を実行する。
【００９３】
図１６は、第３排水制御を行うときの湯水の流れを示している。第３排水制御では、給湯暖房熱源機１０が有する浴槽５への注水機能を利用する。制御部９３は、経路切替ユニット４０の第１三方弁４１、第２三方弁４２、第３三方弁４３，排水弁４４をすべて第１第２連通側に設定し、注湯弁３７を開いて注水する。これにより、給水元から供給される給水が第１熱交換器１１、バイパス管１７および注湯管３６、注湯弁３７を通じて追い焚き往き管３５に流れ込む。追い焚き往き管３５に流れ込んだ給水の一部は、追い焚き往き管３５を通じて経路切替ユニット４０の第８接続口へ向かい、第２逆止弁４７を通過した後に分岐し、一方は排水弁４４、風呂往き管９０を通って浴槽５に流れ込む。分岐した他方は第１三方弁４１の第２接続口へ向かい、該第１三方弁４１の第１接続口から出て、熱交戻り管８６、熱交換ユニット６０、熱交往き管８５を、給気予熱を行う場合の逆方向に流れた後、経路切替ユニット４０内の第２三方弁４２、浴湯循環ポンプ４５、第３三方弁４３を経由し、風呂戻り管８９から浴槽５へと流れ出る。熱交換ユニット６０に給気予熱を行うときとは逆方向に給水を流すことで、熱交換ユニット６０の詰まりや付着物を取り除くことができる。
【００９４】
注湯管３６から追い焚き往き管３５に流れ込んだ給水の他の一部は、追い焚き用水-水熱交換器３０の二次側水管側に流れ、風呂流水スイッチ３３、風呂循環ポンプ３４を経て、追い焚き戻り管３２から経路切替ユニット４０の第６接続口に至り、さらに経路切替ユニット４０内の第１逆止弁４６を通った後、第２三方弁４２側からの給水と合流して、浴湯循環ポンプ４５側に流れ、浴湯循環ポンプ４５、第３三方弁４３、風呂戻り管８９を通じて浴槽５へ流れ出る。
【００９５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９６】
実施の形態で示した熱交換ユニット６０は一例である。扁平管６３を使用しないフィン・チューブタイプであってもよい。また、給気予熱で使用する熱交換器は、給気ダクト１０３の中に挿入するタイプが望ましいが、給気口に設置されればよく、たとえば、給気ダクトの屋外側の入口の前等に取り付けられてもよい。
【００９７】
配管の経路や経路切替ユニット４０の内部構造は実施の形態で示したものに限定されない。また、本発明は暖房システム８における経路切替ユニット４０単独であってもよく、該経路切替ユニット４０を既存の給湯暖房熱源機１０等と組み合わせて暖房システム８を構成してもよい。
【符号の説明】
【００９８】
３…暖房用放熱器（床暖房用の温水マット）
５…浴槽
８…暖房システム
１０…給湯暖房熱源機
１１…第１熱交換器
１１ａ…第１熱交換器の顕熱熱交換器
１１ｂ…第１熱交換器の潜熱熱交換器
１２…第２熱交換器
１２ａ…第２熱交換器の顕熱熱交換器
１２ｂ…第２熱交換器の潜熱熱交換器
１３…給水管
１４…給湯管
１５…水量センサ
１６…水量サーボ
１７…バイパス管
１８…バイパスサーボ
２１…熱交温度センサ
２２…給湯温度センサ
２３…集合ヘッダ
２４…機内戻り管
２５…シスターン
２６…暖房用循環ポンプ
２７…機内往き管
２８…熱動弁分岐ヘッダ
２９…流量制御弁
３０…追い焚き用水-水熱交換器
３１…戻し配管
３２…追い焚き戻り管
３３…風呂流水スイッチ
３４…風呂循環ポンプ
３５…追い焚き往き管
３６…注湯管
３７…注湯弁
４０…経路切替ユニット
４１…第１三方弁
４２…第２三方弁
４３…第３三方弁
４４…排水弁
４５…浴湯循環ポンプ
４６…第１逆止弁
４７…第２逆止弁
６０…熱交換ユニット
６１…熱交換器
６２…仕切り板
６３…扁平管
６３ａ…貫通型扁平管
６３ｂ…片表型扁平管
６３ｃ…片裏型扁平管
６４…接続部
６５…流入口
６６…流出口
８１…戻り配管
８２…往き配管
８３…水管
８４…切替弁
８５…熱交往き管
８６…熱交戻り管
８７…暖房往き管
８８…暖房戻り管
８９…風呂戻り管
９０…風呂往き管
９３…制御部
９７…リモコン
１０１…換気ファン
１０２…吸込口
１０３…給気口（給気ダクト）
１０４…排気口
１０８…給気口カバー
１１０…熱交換器
【図１】
2019190716.tif 000003
【図２】
2019190716.tif 000004
【図３】
2019190716.tif 000005
【図４】
2019190716.tif 000006
【図５】
2019190716.tif 000007
【図６】
2019190716.tif 000008
【図７】
2019190716.tif 000009
【図８】
2019190716.tif 000010
【図９】
2019190716.tif 000011
【図１０】
2019190716.tif 000012
【図１１】
2019190716.tif 000013
【図１２】
2019190716.tif 000014
【図１３】
2019190716.tif 000015
【図１４】
2019190716.tif 000016
【図１５】
2019190716.tif 000017
【図１６】
2019190716.tif 000018
【図１７】
2019190716.tif 000019
【図１８】
2019190716.tif 000020